【手続補正書】
【提出日】平成15年10月27日(2003.10.27)
【手続補正１】
【補正対象書類名】明細書
【補正対象項目名】発明の名称
【補正方法】変更
【補正の内容】
【発明の名称】キーレスエントリ装置、送信機および受信機


【手続補正２】
【補正対象書類名】明細書
【補正対象項目名】特許請求の範囲
【補正方法】変更
【補正の内容】
【特許請求の範囲】
【請求項１】
送信機から遠隔的に発信されるコードを受信機が受信し、予め登録されているコードと一致していることを確認することによって、出入りの可否についての動作を行うキーレスエントリ装置において、
送信機は、
コード送信を指示するためのスイッチと、
スイッチに対して予め定められる条件を満たす操作が行われるとき、操作に基づいてコードを生成し、記憶手段に記憶する設定手段と、
スイッチに対して操作が行われるとき、設定手段によって設定されたコードを送信する送信手段とを含み、
受信機は、
動作状態を、受信されるコードを登録する登録状態と、受信されるコードに基づくキーレスエントリ動作を行う通常状態とに切換える切換手段と、
動作状態が登録状態のときに、受信したコードが記憶されるコード記憶手段と、
動作状態が通常状態のときに、受信されるコードがコード記憶手段に記憶されているコードに一致しているか否かを判定する判定手段と、
動作状態が通常状態のときに、受信されるコードが記憶されているコードに一致していると判定手段によって判定されるとき、出入りの可否についての動作を設定する動作設定手段とを含むことを特徴とするキーレスエントリ装置。
【請求項２】
前記送信機の設定手段がコードを設定する条件は、電源供給開始後の初期化動作中に行うスイッチ操作であることを特徴とする請求項１記載のキーレスエントリ装置。
【請求項３】
前記送信機の設定手段は、予め定める回数の操作でスイッチが導通する時間に対応して、コードを設定することを特徴とする請求項２記載のキーレスエントリ装置。
【請求項４】
前記送信機の設定手段は、予め定める回数の操作でスイッチが導通するときのチャタリングの状態に対応して、コードを設定することを特徴とする請求項２または３記載のキーレスエントリ装置。
【請求項５】
前記送信機の設定手段は、予め定める複数の回数の操作で、スイッチが導通状態になる時間間隔に基づいて、コードを設定することを特徴とする請求項２〜４のいずれかに記載のキーレスエントリ装置。
【請求項６】
前記送信機の設定手段は、予め定める回数の操作で、スイッチが遮断状態から導通状態になるまでに要する時間に基づいて、コードを設定することを特徴とする請求項２〜５のいずれかに記載のキーレスエントリ装置。
【請求項７】
前記送信機は、複数のスイッチを有し、
前記設定手段は、スイッチに対する操作順序に基づいて、コードを設定することを特徴とする請求項２〜６のいずれかに記載のキーレスエントリ装置。
【請求項８】
前記送信機の設定手段は、スイッチに対して予め定める操作が行われるとき、前記初期化動作を行うことを特徴とする請求項２〜７のいずれかに記載のキーレスエントリ装置。
【請求項９】
前記受信機は、自動車に搭載されて車内への出入りの可否についての動作を行い、
前記切換手段は、車内に搭載される機器の操作部への予め定める操作に応答して、受信機の動作状態を前記登録状態に切換えることを特徴とする請求項１〜８のいずれかに記載のキーレスエントリ装置。
【請求項１０】
遠隔的にコードを受信機へ送信する送信機において、
コード送信を指示するためのスイッチと、
スイッチに対して予め定められる条件を満たす操作が行われるとき、操作に基づいてコードを生成し、記憶手段に記憶する設定手段と、
スイッチに対して操作が行われるとき、設定手段によって記憶されたコードを送信する送信手段を備えることを特徴とする送信機。
【請求項１１】
送信機側に、
コード送信を指示するためのスイッチと、
スイッチに対して予め定められる条件を満たす操作が行われるとき、操作に基づいてコードを生成し、記憶手段に記憶する設定手段と、
スイッチに対して操作が行われるとき、設定手段によって記憶されたコードを送信する送信手段を設け、
受信機側に、
動作状態を、受信されるコードを登録する登録状態と、受信されるコードに基づく動作を行う通常状態とに切換える切換手段と、
動作状態が登録状態のときに、受信したコードが記憶されるコード記憶手段と、
動作状態が通常状態のときに、受信されるコードがコード記憶手段に記憶されているコードに一致しているか否かを判定する判定手段と、
動作状態が通常状態のときに、受信されるコードが記憶されているコードに一致していると判定手段に判定されるとき、動作を設定する動作設定手段を設けることを特徴とする送信機および受信機。
【手続補正３】
【補正対象書類名】明細書
【補正対象項目名】０００１
【補正方法】変更
【補正の内容】
【０００１】
【発明の属する技術分野】
本発明は、コード送信機から送信されるコードによって、ドアのロックやアンロックなどの出入りの可否についての動作を行うキーレスエントリ装置、送信機および受信機に関する。


【手続補正４】
【補正対象書類名】明細書
【補正対象項目名】０００７
【補正方法】変更
【補正の内容】
【０００７】
本発明の目的は、コード設定や記憶のために、製造段階でのＲＯＭの書込みやスイッチ等の部品が不要で、コード設定や管理の工数を削減し、送信機の小型化および低価格化を図ることができるキーレスエントリ装置、送信機および受信機を提供することである。


【手続補正５】
【補正対象書類名】明細書
【補正対象項目名】０００８
【補正方法】変更
【補正の内容】
【０００８】
【課題を解決するための手段】
本発明は、送信機から遠隔的に発信されるコードを受信機が受信し、予め登録されているコードと一致していることを確認することによって、出入りの可否についての動作を行うキーレスエントリ装置において、
送信機は、
コード送信を指示するためのスイッチと、
スイッチに対して予め定められる条件を満たす操作が行われるとき、操作に基づいてコードを生成し、記憶手段に記憶する設定手段と、
スイッチに対して操作が行われるとき、設定手段によって設定されたコードを送信する送信手段とを含み、
受信機は、
動作状態を、受信されるコードを登録する登録状態と、受信されるコードに基づくキーレスエントリ動作を行う通常状態とに切換える切換手段と、
動作状態が登録状態のときに、受信したコードが記憶されるコード記憶手段と、
動作状態が通常状態のときに、受信されるコードがコード記憶手段に記憶されているコードに一致しているか否かを判定する判定手段と、
動作状態が通常状態のときに、受信されるコードが記憶されているコードに一致していると判定手段によって判定されるとき、出入りの可否についての動作を設定する動作設定手段とを含むことを特徴とするキーレスエントリ装置である。
本発明に従えば、送信機に含まれるコード送信を指示するためのスイッチに対し、予め定められる条件を満たす操作を行うと、設定手段によって、操作に対応するコードが生成され、記憶手段に記憶される。コード設定を行う条件を、製造段階では容易に実現可能で、ユーザの使用状態では実現困難なように定めておけば、条件の範囲内で操作に対応して異なるコードを、容易に設定することができる。受信機には、切換手段を登録状態に切換えることによって、送信機から設定されたコードを送信し、容易にコード記憶手段にコードを記憶させることができる。切換手段を使用状態に切換えれば、コード記憶手段に記憶されているコードに一致するコードを送信する送信機のみが出入りの可否についての動作を生じさせることができるようになる。


【手続補正６】
【補正対象書類名】明細書
【補正対象項目名】００１６
【補正方法】変更
【補正の内容】
【００１６】
また本発明で前記受信機は、自動車に搭載されて車内への出入りの可否についての動作を行い、
前記切換手段は、車内に搭載される機器の操作部への予め定める操作に応答して、受信機の動作状態を前記登録状態に切換えることを特徴とする。
本発明に従えば、受信機側を登録状態に切換える操作を、自動車の車内に搭載される機器、たとえばカーオーディオ装置のスイッチを利用して行うことができる。これによって、送信機を紛失したときや、コードを再設定したときに、受信機側でコードを登録する際の操作性を向上させることができる。
さらに本発明は、遠隔的にコードを受信機へ送信する送信機において、
コード送信を指示するためのスイッチと、
スイッチに対して予め定められる条件を満たす操作が行われるとき、操作に基づいてコードを生成し、記憶手段に記憶する設定手段と、
スイッチに対して操作が行われるとき、設定手段によって記憶されたコードを送信する送信手段を備えることを特徴とする送信機である。
本発明に従えば、スイッチを操作すると、設定手段によって記憶手段に記憶されたコードを送信する。設定手段は、スイッチに対して予め定められる条件を満たす操作が行われるときに、コードを生成して記憶手段に記憶するので、コードの設定や変更が可能になる。
さらに本発明は、送信機側に、
コード送信を指示するためのスイッチと、
スイッチに対して予め定められる条件を満たす操作が行われるとき、操作に基づいてコードを生成し、記憶手段に記憶する設定手段と、
スイッチに対して操作が行われるとき、設定手段によって記憶されたコードを送信する送信手段を設け、
受信機側に、
動作状態を、受信されるコードを登録する登録状態と、受信されるコードに基づく動作を行う通常状態とに切換える切換手段と、
動作状態が登録状態のときに、受信したコードが記憶されるコード記憶手段と、
動作状態が通常状態のときに、受信されるコードがコード記憶手段に記憶されているコードに一致しているか否かを判定する判定手段と、
動作状態が通常状態のときに、受信されるコードが記憶されているコードに一致していると判定手段に判定されるとき、動作を設定する動作設定手段を設けることを特徴とする送信機および受信機である。
本発明に従えば、送信機のスイッチに予め定められる条件を満たす操作を行ってコードを設定し、受信機を登録状態として、そのコードを、コード記憶手段に記憶しておくことができる。受信機を通常状態に切換えておくと、コード記憶手段に記憶されているコードと一致するコードが受信されるときに、設定された動作が行われるようにすることができる。


【手続補正７】
【補正対象書類名】明細書
【補正対象項目名】００４７
【補正方法】変更
【補正の内容】
【００４７】
また本発明によれば、受信機へのコード登録を、自動車の車内に搭載される機器のスイッチを利用して行うことができる。送信機紛失などでコード再設定が必要になるときに、受信機側でコードを登録する際の操作性を向上させることができる。
さらに本発明によれば、スイッチに対して予め定められる条件を満たす操作が行われるときに、コードを生成するので、コードの設定や変更が可能になる。
さらに本発明によれば、送信機のスイッチに予め定められる条件を満たす操作を行ってコードを設定し、設定されたコードが受信されるときに、設定された動作が行われるようにすることができる。